(57)【要約】【課題】本発明は、立体布帛を用いて表面開口率を９０％以上の払拭体及び清掃具を提供する。【解決手段】本発明の立体網目型清掃具１は、払拭体として立体布帛３１が使用され、多数の網目４１を略周期的に平面状に配列した網目層４０が間隔層４２を介して２層積層されており、前記２層の網目層４０、４０は相互に同形の上側の網目４１と下側の網目４１が上下に連通するように配置されており、上下に連通した網目４１と網目４１を形成する２個の環状糸４４、４４が複数本の連結糸４５で連結されて連結糸側面４６が形成され、網目４１と網目４１及び連結糸側面４６により内部空間４７を有した立体網目３２が形成され、上側の網目４１及び／又は下側の網目４１の開口面４３から塵埃を捕集して前記立体網目３２の内部空間４７に大量に塵埃を保持することを特徴とする。【選択図】図１
2018068764.tif 000002
【特許請求の範囲】
【請求項１】
清掃具に取着されて払拭清掃に使用される払拭体において、前記払拭体として立体布帛が使用され、前記立体布帛では、多数の網目を略周期的に平面状に配列した網目層が間隔層を介して２層積層されており、前記２層の網目層は相互に同形の上側の網目と下側の網目が上下に連通するように配置されており、上下に連通した上側の網目と下側の網目を形成する２個の環状糸が複数本の連結糸で相互に周回状に連結されて連結糸側面が形成され、前記間隔層は前記連結糸側面を内部に含んで構成されており、上下に連通した上側の網目と下側の網目及び連結糸側面により立体網目が形成され、前記立体網目では内部空間を有し且つ上側の網目と下側の網目に開口面を有し、前記清掃具で清掃すると前記網目の開口面から塵埃を捕集して前記立体網目の内部空間に塵埃を保持することを特徴とする立体網目型払拭体。
【請求項２】
前記上側の網目の開口面及び前記下側の網目の開口面のいずれか一方を閉鎖糸で閉鎖面とし、他方を開口面のままとし、前記開口面から塵埃を捕集して内部空間に塵埃を保持し、前記内部空間に保持された塵埃が前記閉鎖面から放出され難くした請求項１に記載の立体網目型払拭体。
【請求項３】
清掃具に取着されて払拭清掃に使用される払拭体において、前記払拭体として立体布帛が使用され、前記立体布帛では、多数の網目を略周期的に平面状に配列した網目層を間隔層を介して３層以上積層することにより前記間隔層が２層以上積層状態で存在し、隣り合う２層の網目層は相互に同形の上側の網目と下側の網目が上下に連通するように配置されており、上下に連通した上側の網目と下側の網目を形成する２個の環状糸が複数本の連結糸で相互に周回状に連結されて連結糸側面が形成され、前記間隔層は前記連結糸側面を内部に含んで構成されており、上下に連通した上側の網目と下側の網目及び連結糸側面により立体網目が形成され、前記立体網目では内部空間を有し且つ上側の網目と下側の網目に開口面を有し、一つの間隔層では多数の前記立体網目が略周期的に配列して構成されており、前記間隔層が２層以上積層されることにより、前記立体網目が直上に２個以上積層されて拡大立体網目が形成され、前記拡大立体網目では２個以上の前記内部空間が連通状に積層された拡大内部空間が形成され、しかも最上面の網目と最下面の網目に開口面を有し、多数の拡大立体網目が略周期的に配列して構成されており、前記清掃具で清掃すると前記拡大立体網目の開口面から塵埃を捕集して前記拡大立体網目の拡大内部空間に塵埃を保持することを特徴とする立体網目型払拭体。
【請求項４】
前記最上面の網目の開口面及び前記最下面の網目の開口面のいずれか一方を閉鎖糸で閉鎖面とし、他方を開口面のままとし、前記開口面から塵埃を捕集して拡大内部空間に塵埃を保持し、前記拡大内部空間に保持された塵埃が前記閉鎖面から放出されないようにした請求項３に記載の立体網目型払拭体。
【請求項５】
前記立体布帛において、１種又は２種以上の網目形状を有する請求項１〜４のいずれかに記載の立体網目型払拭体。
【請求項６】
前記立体布帛には、塵埃を吸着保持する吸着剤が担持される請求項１〜５のいずれかに記載の立体網目型払拭体。
【請求項７】
前記立体布帛は、固定電荷又は静電気で帯電される請求項１〜６のいずれかに記載の立体網目型払拭体。
【請求項８】
前記払拭体として前記立体布帛に立体布帛以外の他の清掃用払拭材を組み合わせる請求項１〜７のいずれかに記載の立体網目型払拭体。
【請求項９】
請求項１〜８のいずれかの立体網目型払拭体を使用し、前記立体網目型払拭体が装着される把持部と、前記把持部に連結されたハンドル部から構成され、前記立体網目型払拭体を被清掃面に接触させて清掃すると、被清掃面から塵埃が前記網目の開口面を通して捕集され、前記立体網目の内部空間又は前記拡大立体網目の拡大内部空間に塵埃を保持することを特徴とする立体網目型清掃具。
【請求項１０】
前記把持部が基板からなり、前記立体網目型払拭体の払拭体中央部を前記把持部の清掃側面に面接させて配置し、前記立体網目型払拭体の両端部を前記把持部に固定し、前記立体網目型払拭体を前記被清掃面に押接して清掃する請求項９に記載の立体網目型清掃具。
【請求項１１】
前記立体網目型払拭体は湾曲状に折り返された湾曲部を有し、その左右の端部は前記把持部と連結され、前記湾曲部の内部には空間部が形成され、前記湾曲部を被清掃面に押接して清掃する請求項９に記載の立体網目型清掃具。
【請求項１２】
左右の前記端部を相互に結合させて端部結合部を形成し、端部結合部の一部を開口して開放部を設け、端部結合部に連接して袋部を設け、開放部から前記把持部を挿入して袋部に挿着し、把持部を前記立体網目型払拭体と一体化する請求項１１に記載の立体網目型清掃具。
【請求項１３】
前記把持部は二つの■合部が弾性的に開閉自在に構成され、前記立体網目型払拭体の左右の端部が前記噛合部により噛合されて前記把持部と一体化する請求項１２に記載の立体網目型清掃具。
【発明の詳細な説明】
【技術分野】
【０００１】
本発明は、床面等の被清掃面を清掃するための払拭体に関し、更に詳細には、塵埃を清掃して捕集し、捕集した塵埃を払拭体の内部に保持することができる払拭体及び当該払拭体を利用した清掃具に関する。
【背景技術】
【０００２】
従来より、塵埃を清掃して捕集し、捕集した塵埃を払拭体の内部に保持することができる払拭体及びそれを利用した清掃具の開発が行われており、幾つかの特許文献が存在する。
第１に、特開平１１−２６７０７９号公報（特許文献１）に記載された「多層構造の清掃用物品」がある。本願の図１８は特許文献１における払拭体及び清掃具を示している。払拭体は清掃用物品Ｓとして示され、開口部を持たない層１０２の両面を開口部を持つ層１０１、１０１で狭着した３層構造の清掃用物品Ｓが示されている。実施例では、開口部を持たない層１０２と開口部を持つ層１０１は共に不織布から構成され、開口部１０３はウォータージェット又はニードルパンチで開口される、と記載されている。塵埃は開口部３の内部に保持され、開口部を持たない層１０２で通過を遮断される構成となっている。
特許文献１の問題点は、不織布に開口部１０３をウォータージェットやニードルパンチで開口するから、[００１６]にあるように開口部１０３の個数密度として１０〜１００個／ｃｍ２が限界であり、本願発明者の経験では、多数の開口部１０３の全開口面積の不織布全面積に対する比率、即ち表面開口率は５０％が限界であると考えられる。また、[００１４]にあるように開口部１０３を持つ層１０１の厚みは０．３〜２．０ｍｍ程度であり、２．０ｍｍが限界と考えられる。従って、この清掃用物品Ｓを清掃プレート１１１に巻回した清掃用モップ１１０で床面を清掃しても、開口部１０３に保持できる塵埃量はかなり少なく、清掃性能が不十分と考えられる。
【０００３】
第２に、特許第３５５７０４７号公報（特許文献２）に記載された「床面掃除用シート」がある。本願の図１９は特許文献２における払拭体を示している。その請求項１から分かるように、「スパンレース方式により得られた交絡不織布であって、穴あけ加工された不織布を含んで構成され、その開口数が３０〜３００個／ｉｎ２で、かつ開口率が５〜５０％である交絡不織布・・からなることを特徴とする床面掃除用シート」が記載されている。
特許文献２の問題点として、表面開口率が５〜５０％に過ぎず、しかも交絡不織布の厚さは、経験上２ｍｍ程度が限界であるという点が掲げられる。その結果、清掃用モップを作製して床面を清掃しても、開口部に保持できる塵埃量が少なく、清掃性能の不十分性が指摘できる。
【０００４】
第３に、特開２０１１−２２９８７１号公報（特許文献３）に記載された「清掃用シート」がある。本願の図２０は特許文献３における清掃用シートを示す。この清掃用シート３０１は不織布３０２に多数の開孔部３０３を開口して形成されている。開孔部３０３には開孔部内を横断する繊維３０４が存在し、開孔部３０３からパン粉などの塵埃が脱落するのを防止している。そして、この清掃用シート３０１を台座３１１に巻回してモップ３１０を構成し、このモップ３１０で床材３１４を清掃することが図示されている。
特許文献３の問題点として、その請求項３に開孔部の最大径は１ｍｍ〜３ｍｍ以下と限定され、[００１２]に「清掃用シート１としての塵取性能をより確実に確保するためには・・厚みが０．０１〜３ｍｍであるものが好ましい。」と記載されていることである。また、開孔部の個数については、[００２４]に、「・・実施例１から８のいずれのスパンレース不織布についても、寸法が縦２１０ｍｍ×横３１０ｍｍ、厚さ０．８ｍｍ、開孔部の配列パターンと数が格子状で縦２０個／１列×横４０個／１列・・」と記載されている。つまり、不織布全面積＝６５１００ｍｍ２、全開孔部面積＝５６５２ｍｍ２であるから、表面開口率＝５６５２／６５１００×１００％＝８．７％である。
即ち、どれだけ頑張っても、特許文献３では表面開口率は５０％未満であり、厚みは３ｍｍ以下であるから、開口部に保持できる塵埃量が少な過ぎ、清掃性能の不十分性が顕著である。
【０００５】
以上から明らかなように、従来のモップでは、不織布に多数の穴を開口し、当該穴に塵埃を蓄積保持させる技術思想は存在した。しかし、完成した不織布に事後的に穴を空けるため、開口される穴の個数に限界があり、全穴面積／不織布面積×１００（％）で与えられる表面開口率を５０％以上にすることが不可能であった。また、不織布の厚みも３ｍｍを超えることが難しく、穴面積×穴深さで与えられる穴容積が小さいため、穴の内部に蓄積保持される塵埃量がかなり少なくなるという欠点があった。
【０００６】
他方、清掃分野とは全く異なる技術分野において、立体編物や立体織物と称される立体布帛が開発されつつある。六角形や四角形の多数を周期配列した層を２層だけ上下に離隔して平行配置し、相互を連結糸で結合して厚みのある立体布帛が形成される。表面と裏面の２層を圧縮しても連結糸により弾縮性があり、失禁用パンツやかかとパッド、ひじパッドといった介護用品に利用できる。その他、だてじめ・補整じめ・腰ぶとんといった衣料用、保護帽・スリッパ・サンダル・ランドセルパッドといった緩衝・クッション材、ゴルフカート用シートカバー・事務用チェアー・車いす用クッションといった座席用シート材として使用されつつある。
立体布帛の文献として、下記の第４及び第５の特許文献を例示する。
【０００７】
第４に、特許第３９９５６３１号公報（特許文献４）に記載された「立体編物積層体」がある。本願の図２１には特許文献４に開示された立体編物４０１の断面図が図示されている。立体編物４０１は、表編地４０２と裏編地４０３を多数のモノフィラメント連結糸４０４で連結することによって構成されている。この立体編物４０１を２段だけ積層して立体編物積層体４０５が構成される。即ち、２段目の立体編物は表編地４０６と裏編地４０７を多数のモノフィラメント連結糸４０８で連結することによって形成され、１段目の立体編物は表編地４０９と裏編地４１０を多数のモノフィラメント連結糸４１１で連結することによって形成されている。
しかし、特許文献４の立体編物積層体は、その[０００１]に書かれているように、自動車、鉄道車両、航空機、チャイルドシート、ベビーカー等の乗り物用のクッション材、事務用、寝具、ベッドパッド、マットレス、床ずれ防止マット、家具、枕、座布団等のクッション材に使用されるものである。従って、本願が目的とする清掃具の払拭体への利用は全く意図されていない、ことが明らかである。
【０００８】
第５に、特開２００６−２０６０８１号公報（特許文献５）に記載された「コンクリート防食用ライニングシート」がある。本願の図２２には特許文献５に開示された立体織編地５０２の立体図及び使用断面図が図示されている。
立体織編地５０２では、表層の編地５０３と裏層の編地５０４が多数の六角形の環状糸で周期的に配置された平面であり、表層と裏層の環状糸が多数の連結糸５０５で連結されて厚みを有するように構成されている。この立体織編地５０２がコンクリート５０６の上部に埋設され、その上面を熱可塑性樹脂シート５０１で被覆してコンクリート５０６を防食している。
しかし、特許文献５の立体織編地５０２は、その[０００１]に書かれているように、下水道施設，厨房除害施設，汚水槽などの腐食性雰囲気、例えば、硫化水素雰囲気に曝されるコンクリート構造物を保護するコンクリート防食用ライニングシートとして使用されるものである。つまり、本願が目的とする清掃具の払拭体への利用は全く意図されていない、ことが明らかである。
【先行技術文献】
【特許文献】
【０００９】
【特許文献１】特開平１１−２６７０７９号公報
【特許文献２】特許第３５５７０４７号公報
【特許文献３】特開２０１１−２２９８７１号公報
【特許文献４】特許第３９９５６３１号公報
【特許文献５】特開２００６−２０６０８１号公報
【発明の概要】
【発明が解決しようとする課題】
【００１０】
前述したように、特許文献１では、不織布に開口部１０３をウォータージェットやニードルパンチで開口するものであるから、開口部の個数に限界があり、多数の開口部の全開口面積の不織布全面積に対する比率、即ち表面開口率が５０％を限界とすることである。しかも、不織布では厚さも薄く、開口部に蓄積保持できる塵埃量はかなり少なく、清掃性能が不十分という欠点がある。
【００１１】
また、特許文献２では、表面開口率が５〜５０％に過ぎず、しかも交絡不織布の厚さは、経験上２ｍｍ程度が限界であるという点が掲げられる。その結果、清掃用モップを作製して床面を清掃しても、開口部に保持できる塵埃量が少なく、清掃性能の不十分性が指摘される。
【００１２】
更に、特許文献３では、どれだけ頑張っても、表面開口率は５０％未満であり、厚みは３ｍｍ以下であるから、開口部に保持できる塵埃量が少な過ぎ、清掃性能が不十分である。
【００１３】
他方、特許文献４の立体編物積層体は、自動車、鉄道車両、航空機、チャイルドシート、ベビーカー等の乗り物用のクッション材、事務用、寝具、ベッドパッド、マットレス、床ずれ防止マット、家具、枕、座布団等のクッション材に使用されるものであり、清掃具の払拭体への利用は全く意図されていない、ことが明らかである。
【００１４】
同様に、特許文献５の立体織編地は、下水道施設，厨房除害施設，汚水槽などの腐食性雰囲気、例えば、硫化水素雰囲気に曝されるコンクリート構造物を保護するコンクリート防食用ライニングシートとして使用されるものであり、清掃具の払拭体への利用は全く考慮されていない、ことが明らかである。
【００１５】
従って、本発明は、立体織物や立体編物などの立体布帛を従来全く予想もされていなかった清掃具の払拭体に利用し、払拭体に多数形成された穴による表面開口率を９０％以上に調整し、しかも穴の深さを深浅自在に調整して、被清掃面の塵埃を大量に捕集できると同時に、大量の塵埃を穴の中に蓄積保持でき、しかも保持した塵埃を塵埃吸引装置により吸引して清浄化できる清掃用の立体網目型払拭体及びそれを利用した立体網目型清掃具を提供するものである。
【課題を解決するための手段】
【００１６】
本発明は、上記課題を解決するために為されたものであり、本発明の第１の形態は、清掃具に取着されて払拭清掃に使用される払拭体において、前記払拭体として立体布帛が使用され、前記立体布帛では、多数の網目を略周期的に平面状に配列した網目層が間隔層を介して２層積層されており、前記２層の網目層は相互に同形の上側の網目と下側の網目が上下に連通するように配置されており、上下に連通した上側の網目と下側の網目を形成する２個の環状糸が複数本の連結糸で相互に周回状に連結されて連結糸側面が形成され、前記間隔層は前記連結糸側面を内部に含んで構成されており、上下に連通した上側の網目と下側の網目及び連結糸側面により立体網目が形成され、前記立体網目では内部空間を有し且つ上側の網目と下側の網目に開口面を有し、前記清掃具で清掃すると前記網目の開口面から塵埃を捕集して前記立体網目の内部空間に塵埃を保持する立体網目型払拭体である。
【００１７】
本発明の第２の形態は、前記上側の網目の開口面及び前記下側の網目の開口面のいずれか一方を閉鎖糸で閉鎖面とし、他方を開口面のままとし、前記開口面から塵埃を捕集して内部空間に塵埃を保持し、前記内部空間に保持された塵埃が前記閉鎖面から放出され難くした立体網目型払拭体である。
【００１８】
本発明の第３の形態は、清掃具に取着されて払拭清掃に使用される払拭体において、前記払拭体として立体布帛が使用され、前記立体布帛では、多数の網目を略周期的に平面状に配列した網目層を間隔層を介して３層以上積層することにより前記間隔層が２層以上積層状態で存在し、隣り合う２層の網目層は相互に同形の上側の網目と下側の網目が上下に連通するように配置されており、上下に連通した上側の網目と下側の網目を形成する２個の環状糸が複数本の連結糸で相互に周回状に連結されて連結糸側面が形成され、前記間隔層は前記連結糸側面を内部に含んで構成されており、上下に連通した上側の網目と下側の網目及び連結糸側面により立体網目が形成され、前記立体網目では内部空間を有し且つ上側の網目と下側の網目に開口面を有し、一つの間隔層では多数の前記立体網目が略周期的に配列して構成されており、前記間隔層が２層以上積層されることにより、前記立体網目が直上に２個以上積層されて拡大立体網目が形成され、前記拡大立体網目では２個以上の前記内部空間が連通状に積層された拡大内部空間が形成され、しかも最上面の網目と最下面の網目に開口面を有し、多数の拡大立体網目が略周期的に配列して構成されており、前記清掃具で清掃すると前記拡大立体網目の開口面から塵埃を捕集して前記拡大立体網目の拡大内部空間に塵埃を保持する立体網目型払拭体である。
【００１９】
本発明の第４の形態は、前記最上面の網目の開口面及び前記最下面の網目の開口面のいずれか一方を閉鎖糸で閉鎖面とし、他方を開口面のままとし、前記開口面から塵埃を捕集して拡大内部空間に塵埃を保持し、前記拡大内部空間に保持された塵埃が前記閉鎖面から放出されないようにした立体網目型払拭体である。
【００２０】
本発明の第５の形態は、前記立体布帛において、２種以上の網目形状を有する立体網目型払拭体である。
【００２１】
本発明の第６の形態は、前記立体布帛には、塵埃を吸着保持する吸着剤が担持される立体網目型払拭体である。
【００２２】
本発明の第７の形態は、前記立体布帛が、固定電荷又は静電気で帯電される立体網目型払拭体である。
【００２３】
本発明の第８の形態は、前記払拭体として前記立体布帛に立体布帛以外の他の清掃用払拭材を組み合わせる立体網目型払拭体である。
【００２４】
本発明の第９の形態は、第１形態〜第８形態のいずれかの立体網目型払拭体を使用し、前記立体網目型払拭体が装着される把持部と、前記把持部に連結されたハンドル部から構成され、前記立体網目型払拭体を被清掃面に接触させて清掃すると、被清掃面から塵埃が前記網目の開口面を通して捕集され、前記立体網目の内部空間又は前記拡大立体網目の拡大内部空間に塵埃を保持する立体網目型清掃具である。
【００２５】
本発明の第１０の形態は、前記把持部が基板からなり、前記立体網目型払拭体の払拭体中央部を前記把持部の清掃側面に面接させて配置し、前記立体網目型払拭体の両端部を前記把持部に固定し、前記立体網目型払拭体を前記被清掃面に押接して清掃する立体網目型清掃具である。
【００２６】
本発明の第１１の形態は、前記立体網目型払拭体は湾曲状に折り返された湾曲部を有し、その左右の端部は前記把持部と連結され、前記湾曲部の内部には空間部が形成され、前記湾曲部を被清掃面に押接して清掃する立体網目型清掃具である。
【００２７】
本発明の第１２の形態は、左右の前記端部を相互に結合させて端部結合部を形成し、端部結合部の一部を開口して開放部を設け、端部結合部に連接して袋部を設け、開放部から前記把持部を挿入して袋部に挿着し、把持部を前記立体網目型払拭体と一体化する立体網目型清掃具である。
【００２８】
本発明の第１３の形態は、前記把持部は二つの■合部が弾性的に開閉自在に構成され、前記立体網目型払拭体の左右の端部が前記噛合部により噛合されて前記把持部と一体化する立体網目型清掃具である。
【発明の効果】
【００２９】
本発明の第１の形態によれば、清掃具に取着されて払拭清掃に使用される払拭体において、前記払拭体として立体布帛が使用され、前記立体布帛では、多数の網目を略周期的に平面状に配列した網目層が間隔層を介して２層積層されており、前記２層の網目層は相互に同形の上側の網目と下側の網目が上下に連通するように配置された立体網目型払拭体が提供される。
本願発明では、立体編物や立体織物などと称される立体布帛から払拭体を構成するところに特徴点を有する。一般の織物、編物、不織布は厚さが薄いため、清掃用の払拭体に利用しても、払拭体の厚みの内部に塵埃を蓄積保持することは極めて難しい。これに対し、立体布帛では、厚みを厚薄自在に調整でき、その厚みの内部に捕集した塵埃を蓄積保持できる利点がある。立体布帛の従来利用技術では、特許文献４、５のように、立体布帛の厚みの弾縮性を利用することに集中していたが、本願発明は、厚みの中に塵埃を捕集し蓄積保持する特徴点に着眼したものであり、本願発明者は、上記新規特性に着目して本願発明を想到したものである。
前記立体布帛では、多数の網目を略周期的に平面状に配列した網目層が間隔層だけ離隔して２層積層されており、しかも前記２層の網目層は相互に同形の上側の網目と下側の網目が上下に連通するように配置されている特徴がある。網目の形状は、四角形や六角形や円などの種々の形状が繊維をリング状（下で云う環状糸）に織編みして形成されており、同形の上側の網目と下側の網目が上下に連通するように配置されている。従って、上側の網目から下側の網目を透視すると、途中には障害物が無く、この内部空間に塵埃を蓄積保持することができる。
【００３０】
また、本発明の第１の形態によれば、上下に連通した上側の網目と下側の網目を形成する２個の環状糸が複数本の連結糸で相互に周回状に連結されて連結糸側面が形成されており、前記間隔層は前記連結糸側面を内部に含んで構成されており、上下に連通した上側の網目と下側の網目及び連結糸側面により立体網目が形成される点に特徴を有する。
上述したように、網目は繊維により環状に成形された環状糸から形成されており、上側の網目も下側の網目も同様である。従って、２個の環状糸が上下に離隔して配置されており、これら２個の環状糸を多数本の連結糸で上下に連結し、しかも多数本で周回状に連結している。つまり、上下に離隔した２個の環状糸の全周が多数の連結糸により連結され、多数の連結糸による連結糸側面が形成されることになる。例えば、環状糸が六角形であれば、六面の小側面が存在し、連結糸により小側面が連結糸小側面になり、六面の連結糸小側面により全側面である連結糸側面が形成されることになる。
前記連結糸側面は上側の網目層と下側の網目層の間に存在し、前記間隔層はこの連結糸側面を内部に含んで構成されることになる。即ち、間隔層は略周期的に配置される多数の連結糸側面を内部に含んで構成されることになる。
そして、上下に連通した上側の網目と下側の網目及び連結糸側面により立体網目が形成される点に特徴を有する。上側の網目と下側の網目とは上下の環状糸のことであり、上下の環状糸と連結糸側面により立体網目と称する筒状体が形成される。この立体網目では、上下の環状糸は開口面を形成し、連結糸側面は連結糸の太さだけ側面の一部に閉鎖が生じるが、連結糸と連結糸の間は開口されている。従って、連結糸の本数が多くなると、側面開口率が小さくなり、逆に連結糸の本数が少なくなると、側面開口率が大きくなる関係を有する。これらの場合に、多数の連結糸は略等間隔に側面に連結固定され、連結糸と連結糸の間にスリット状の微小側面開口部が形成され、これらの微小側面開口部が個数だけ足し合わされて側面開口部を形成する。側面の全面積に対する側面開口部の面積の比率が側面開口率を与える。
【００３１】
更に、本発明の第１の形態によれば、前記立体網目では内部空間を有し且つ上側の網目と下側の網目に開口面を有し、前記清掃具で清掃すると前記網目の開口面から塵埃を捕集して前記立体網目の内部空間に塵埃を保持する立体網目型払拭体が提供される。
前述したように、前記立体網目では、上側の網目と下側の網目の環状糸以外の部分は開口面として開口されており、上側の網目又は下側の網目を被清掃面に接触させながら清掃すると、この開口面を介して塵埃を捕集することができる。また、環状糸は糸の太さだけの閉鎖率しか有しておらず、開口面による表面開口率は９０％以上であり、大量の塵埃を誘導捕集することが可能である。
また、前記立体網目では内部空間を有し、この内部空間に塵埃を蓄積保持することができる。しかも、側面は多数の連結糸からなる連結糸側面となっており、連結糸の本数により、側面開口率が０％〜１００％まで調整できる。即ち、多数の連結糸で側面を完全に閉鎖すれば、側面開口率は０％になる。また、連結糸を完全にゼロ本にすれば、側面開口率は１００％になる。連結糸の本数を制御すれば、側面開口率は０％〜１００％まで調整できるのである。側面開口率は連結糸の太さと本数の両者に依存する。
【００３２】
また更に、本発明の第１の形態によれば、側面開口率が２０％〜８０％のときに、本願発明の立体網目型払拭体を最適化でき、有効な清掃具を提供することができる。
後述するように、本発明者の実験によれば、側面開口率が２０％〜８０％のときに、塵埃捕集量が実用に耐えることが分かった。また、塵埃捕集量が最大になるのは、上記実験では側面開口率が５０％前後のときであったが、更に詳細研究により、最大塵埃捕集量の側面開口率は変動すると思われる。しかし、側面開口率が２０％〜８０％が有効であることは重要な結果を与え、且つ３０％〜７０％のときにはより効率的であることが分かった。
また、再度記すが、本発明では表面開口率を９０％以上にすることは容易であり、特許文献１〜特許文献３の従来技術では、表面開口率が５０％以下でしかないのと比較すると、本願発明が画期的な清掃具を提供していることが分かる。それに加えて、側面開口率が２０％〜８０％、より望ましくは３０％〜７０％のときに立体網目の内部空間に蓄積保持できる塵埃量が大きくなることが、本発明者の研究により初めて明らかになった。
【００３３】
本発明の第２の形態によれば、前記上側の網目の開口面及び前記下側の網目の開口面のいずれか一方を閉鎖糸で閉鎖面とし、他方を開口面のままとし、前記開口面から塵埃を捕集して内部空間に塵埃を保持し、前記内部空間に保持された塵埃が前記閉鎖面から放出され難くした立体網目型払拭体を提供できる。
上側の網目と下側の網目の両方が開口面を有する場合には、一方の開口面から捕集された塵埃が他方の開口面から逃散してゆくこともあり得る。その場合には、内部空間に蓄積保持される塵埃が減量することになる。そこで、本形態では、他方の開口面を閉鎖糸で閉鎖して閉鎖面とすれば、内部空間に蓄積された塵埃は閉鎖面から逃散することが無くなり、逆に塵埃の減量を防止して蓄積保持できる塵埃量の増大を図ることが可能になる。
開口面を閉鎖糸で閉鎖するには、一本の閉鎖糸を開口面の真中に配置するだけでもよいし、複数本の閉鎖糸で閉鎖してもよいし、多数の閉鎖糸により完全遮断してもよい等、種々の形態をとることができる。塵埃には砂のような粒子成分だけでなく、特に家庭ごみの多くは糸屑も多く、一本だけで遮断できる塵埃も多い。閉鎖糸の形態は状況に応じて可変である。
【００３４】
本発明の第３の形態によれば、清掃具に取着されて払拭清掃に使用される払拭体において、前記払拭体として立体布帛が使用され、前記立体布帛では、多数の網目を略周期的に平面状に配列した網目層を間隔層を介して３層以上積層することにより前記間隔層が２層以上積層状態で存在する立体網目型払拭体が提供される。
本形態では、立体布帛が網目層−間隔層−網目層−間隔層−網目層・・といった具合に構成されており、換言すれば３層以上の網目層と２層以上の間隔層からなる多重の立体布帛で構成された立体網目型払拭体が対象となる。立体編成や立体織成の装置では、連続的に積み上げながら多層に編織成できるから、全ての網目層が同じ太さで形成することができ、最上層と最下層と中間層の網目層の全てが同等の構造を有している。
他方、第1形態では、網目層−間隔層−網目層からなる最小単位の立体布帛が対象とされていた。この最小単位の立体布帛を２段以上重ねて本形態の多重の立体布帛を構成してもよい。この場合には、網目層−間隔層−網目層と網目層−間隔層−網目層を重ねるから、網目層−間隔層−網目層・網目層−間隔層−網目層・・となり、最下面と最上面の網目層を除いて、中間の網目層が網目層・網目層のように太くなる傾向を有する。
以上のように構成すれば、立体布帛の厚さを厚薄自在に調整でき、内部に貯蔵保持できる塵埃量の増大化を図ることができる。
【００３５】
また、本発明の第３の形態によれば、隣り合う２層の網目層は相互に同形の上側の網目と下側の網目が上下に連通するように配置されており、上下に連通した上側の網目と下側の網目を形成する２個の環状糸が複数本の連結糸で相互に周回状に連結されて連結糸側面が形成され、前記間隔層は前記連結糸側面を内部に含んで構成された立体網目型払拭体が提供される。
しかも、上下に連通した上側の網目と下側の網目及び連結糸側面により立体網目が形成され、前記立体網目では内部空間を有し且つ上側の網目と下側の網目に開口面を有し、一つの間隔層では多数の前記立体網目が略周期的に配列して構成されており、内部空間に塵埃を保持する立体網目型払拭体が提供できる。
以上の構成は、第１形態で提供される立体網目型払拭体と同じ構成であるから、第１形態が有する作用・効果を当然に発現する者であり、第1形態での記載を参酌してここではその記載を省略する。
【００３６】
更に、本発明の第３の形態によれば、前記間隔層が２層以上積層されることにより、前記立体網目が直上に２個以上積層されて拡大立体網目が形成され、前記拡大立体網目では２個以上の前記内部空間が連通状に積層された拡大内部空間が形成され、しかも最上面の網目と最下面の網目に開口面を有し、多数の拡大立体網目が略周期的に配列して構成された立体網目型払拭体が提供できる。
第１形態で説明した立体網目の２個以上が直上に積層されて、２個以上の立体網目の合成体である拡大立体網目が構成される。個々の立体網目は内部空間を有しているから、これらの内部空間が合成された拡大内部空間が拡大立体網目の内部に形成されることになる。障害物が存在しない内部空間の２個以上が連通状態で合成されて拡大内部空間が形成されているから、拡大内部空間の内部にも障害物は存在していない。
拡大内部空間の最上面の網目と最下面の網目にはそれぞれ開口面が存在するから、最上面の網目の開口面から最下面の網目の開口面を見ると、大きな拡大内部空間が透視できる。被清掃面に最上面の開口面又は最下面の開口面を接触させて清掃作業を行うと、前記開口面から塵埃を捕集して、拡大内部空間が一杯になるまで塵埃を蓄積保持することができる。従って、当該立体布帛を立体網目型払拭体として利用した清掃具では、前記清掃具で清掃すると前記拡大立体網目の開口面から塵埃を捕集して前記拡大立体網目の拡大内部空間に塵埃を大量に蓄積保持することができる立体網目型払拭体を実現することができた。
【００３７】
また更に、本発明の第３の形態では、拡大立体網目の側面は、個々の立体網目の連結糸側面が上下に連続した拡大連結糸側面から構成されている。従って、拡大立体網目は最上面の網目と最下面の網目と拡大連結糸側面から形成されることになる。
拡大連結糸側面では、連結糸の本数により、側面開口率が０％〜１００％まで調整できる。即ち、多数の連結糸で側面を完全に閉鎖すれば、側面開口率は０％になる。また、連結糸を完全にゼロ本にすれば、側面開口率は１００％になる。連結糸の本数を制御すれば、側面開口率は０％〜１００％まで調整できるのである。側面開口率は連結糸の太さと本数の両者に依存する。
また、本発明の第３の形態においても、第１形態と同様に、拡大連結糸側面の側面開口率が２０％〜８０％のときに、本願発明の立体網目型払拭体を最適化でき、有効な清掃具を提供することができる。前述したように、本発明者の実験によれば、側面開口率が２０％〜８０％のときに、塵埃捕集量が実用に耐えることが分かった。また、塵埃捕集量が最大になるのは、上記実験では側面開口率が５０％前後のときであった。しかし、この値は、更なる詳細研究により変動すると思われる。しかし、側面開口率が２０％〜８０％が有効であることは重要な結果を与え、且つ３０％〜７０％のときにはより効率的であることが分かった。
最後に、本発明では表面開口率を９０％以上にすることは容易であり、特許文献１〜特許文献３の従来技術では、表面開口率が５０％以下でしかないのと比較すると、本願発明が画期的な清掃具を提供していることが分かる。それに加えて、側面開口率が２０％〜８０％、より望ましくは３０％〜７０％のときに立体網目の内部空間に蓄積保持できる塵埃量が大きくなることが、本発明者の研究により初めて明らかになった。
【００３８】
本発明の第４の形態によれば、前記最上面の網目の開口面及び前記最下面の網目の開口面のいずれか一方を閉鎖糸で閉鎖面とし、他方を開口面のままとし、前記開口面から塵埃を捕集して拡大内部空間に塵埃を保持し、前記拡大内部空間に保持された塵埃が前記閉鎖面から放出されないようにした立体網目型払拭体である。
拡大立体網目において、最上面の網目と最下面の網目の両方が開口面を有する場合には、一方の開口面から捕集された塵埃が他方の開口面から逃散してゆくこともあり得る。この場合には、拡大内部空間に蓄積保持される塵埃が減量することになる。そこで、本形態では、他方の開口面を閉鎖糸で閉鎖して閉鎖面とすれば、拡大内部空間に蓄積された塵埃は閉鎖面から逃散することが無くなり、逆に塵埃の減量を防止して蓄積保持できる塵埃量の増大を図ることが可能になる。
開口面を閉鎖糸で閉鎖するには、一本の閉鎖糸を開口面の真中に配置するだけでもよいし、複数本の閉鎖糸で閉鎖してもよいし、多数の閉鎖糸により完全遮断してもよい等、種々の形態をとることができる。塵埃には砂のような粒子成分だけでなく、特に家庭ごみの多くは糸屑も多く、一本だけで遮断できる塵埃も多い。閉鎖糸の形態は状況に応じて可変である。
【００３９】
本発明の第５の形態によれば、前記立体布帛において、１種又は２種以上の網目形状を有する立体網目型払拭体が提供できる。
前述したように、網目層は多数の網目が略周期的に平面状に配列して形成されており、網目は単一の網目形状の場合と、網目が２以上の網目形状を有する場合に分けられる。網目形状としては、三角、四角、六角、八角、円などが存在する。単一形状の場合とは、たった一つの網目形状が略周期性をもって平面配列することで、例えば六角形状が網目として略周期的に配列するケースである。また、２以上の複数網目形状の場合とは、六角形状と丸形状が単位となって略周期的に配列するケースである。これらは立体布帛の成形技術に依存しており、どの網目形状でも本発明形態に包含される。
【００４０】
本発明の第６の形態によれば、前記立体布帛には、塵埃を吸着保持する吸着剤が担持される立体網目型払拭体が提供できる。ここで、吸着剤とは塵埃を吸着する薬剤を云う。
一般には、立体布帛に何も含浸させないで払拭体とする場合と、立体布帛に吸着剤を含浸させて払拭体とする場合に分けられる。吸着剤を含浸させない場合には、立体布帛の繊維により塵埃を絡め取ることに主眼を置いた清掃になる。他方、吸着剤を立体布帛に含浸させると、立体布帛の繊維により塵埃を絡め取った後、吸着剤により塵埃を液膜で覆って塵埃を強固に付着保持することができる。従って、吸着剤のケースでは、塵埃の蓄積保持効果が優れる性能を有する。
吸着剤としては水性吸着剤と油性吸着剤に分けられる。水性吸着剤とは水溶液を主体とした吸着剤で、油性吸着剤とは油剤を主体とした吸着剤である。吸着剤を使い分けることによって、効率的に清掃を行うことができる。
【００４１】
本発明の第７の形態によれば、前記立体布帛が、固定電荷又は静電気で帯電される立体網目型払拭体が提供できる。
一般に、塵埃はプラス又はマイナスに帯電して散在している。つまり塵埃同士は同電気のために反発し合って結合せず、団子状にならずに被清掃面に散在している。従って、立体布帛に静電気又は固定電荷を帯電させれば、塵埃を電気吸引して強力に捕集することができる。但し、静電気は動き回るので、安定して静止状態に固定することが難しい。そこで樹脂繊維などにイオンを高電界で打ち込めば、樹脂繊維に電気を固定させることができ、これを固定電荷と称する。
つまり、静電気又は固定電荷で立体布帛を帯電させれば、電気引力で塵埃を立体網目に捕集でき、内部空間や拡大内部空間に塵埃を蓄積保持することが可能になる。
【００４２】
本発明の第８の形態によれば、前記払拭体として前記立体布帛に立体布帛以外の他の清掃用払拭材を組み合わせる立体網目型払拭体が提供できる。
本発明に使用される立体布帛型払拭体には、２種類存在する。第１は、立体布帛だけから形成された払拭体であり、立体布帛だけを所定の形状に成形して払拭体として使用するものである。第２は、立体布帛以外の清掃用払拭材を立体布帛に組み合わせた払拭体である。パイルを立体布帛に組み合わせたり、払拭紙を立体布帛に組み合わせたり、通常の布帛を立体布帛に組み合わせたり、またパイルと通常の布帛を立体布帛に組み合わせたりした複合形式を有する立体布帛型払拭体である。このような複合形式の立体布帛型払拭体は無数に存在し、被清掃場所や清掃方法に応じて種々の組み合わせ形態が存在する。
以上の如く、複合形式や組み合わせ形態を種々考案することによって、最適な立体布帛型払拭体を構成することができる。
【００４３】
本発明の第９の形態によれば、第１形態〜第８形態のいずれかの立体網目型払拭体を使用し、前記立体網目型払拭体が装着される把持部と、前記把持部に連結されたハンドル部から構成され、前記立体網目型払拭体を被清掃面に接触させて清掃すると、被清掃面から塵埃が前記網目の開口面を通して捕集され、前記立体網目の内部空間又は前記拡大立体網目の拡大内部空間に塵埃を保持する立体網目型清掃具を提供することができる。
本形態は、立体布帛から形成された立体網目型払拭体をハンドル部の先端に装着してモップとして利用した清掃具に関している。ハンドル部と把持部から構成され、把持部に立体網目型払拭体を装着して、被清掃面に立体網目型払拭体を接触させてハンドル操作すれば、開口面から塵埃を捕集し、捕集された塵埃は立体網目の内部空間又は拡大立体網目の拡大内部空間に蓄積保持される。また、ハンドル部を多少振っても、塵埃は落下せず、内部空間又は拡大内部空間に保存されている。
【００４４】
本発明の第１０の形態によれば、前記把持部が基板からなり、前記立体網目型払拭体の払拭体中央部を前記把持部の清掃側面に面接させて配置し、前記立体網目型払拭体の両端部を前記把持部に固定し、前記立体網目型払拭体を前記被清掃面に押接して清掃する立体網目型清掃具が提供される。
本形態は前記第８形態の中で把持部が基板に特化された特殊形態を限定したもので、基板からなる把持部に矩形状の立体網目型払拭体を巻回して固定した清掃具に関している。つまり、矩形状の立体網目型払拭体を床面に伸ばして配置し、その中央部に基板を置いて、立体網目型払拭体の両端を基板の表側面に固定すれば、清掃具として利用できる。把持部の清掃側面を被清掃面に押し付けて押し引き操作すれば、被清掃面から塵埃を開口面を通して捕集し、捕集された塵埃は立体網目の内部空間又は拡大立体網目の拡大内部空間に蓄積保持される。また、ハンドルを多少振っても、塵埃は落下せず、内部空間又は拡大内部空間に保存されている。
【００４５】
本発明の第１１の形態によれば、前記立体網目型払拭体は湾曲状に折り返された湾曲部を有し、その左右の端部は前記把持部と連結され、前記湾曲部の内部には空間部が形成され、前記湾曲部を被清掃面に押接して清掃する立体網目型清掃具が提供される。
本形態は前記第８形態の中で把持部の下方に立体網目型払拭体を湾曲状に袋化した特殊形態を限定したものである。例えば、立体網目型払拭体をＵ字状に曲げれば湾曲部が形成され、その左右の端部を把持部と連結すれば、湾曲部の中に大きな空間部が形成された清掃具が完成される。湾曲部を被清掃面に押接しながら押し引きして清掃すると、また湾曲部で被清掃面を掃き掃除すると、被清掃面から塵埃を開口面を通して捕集し、捕集された塵埃は立体網目の内部空間又は拡大立体網目の拡大内部空間に蓄積保持される。ハンドルを多少振っても、塵埃は落下せず、内部空間又は拡大内部空間に保存されている。また、湾曲部の中の空間部に内部空間又は拡大内部空間から逃散した塵埃が落下して蓄積される利点も有する。
【００４６】
本発明の第１２の形態によれば、左右の前記端部を相互に結合させて端部結合部を形成し、端部結合部の一部を開口して開放部を設け、端部結合部に連接して袋部を設け、開放部から前記把持部を挿入して袋部に挿着し、把持部を前記立体網目型払拭体と一体化する立体網目型清掃具が提供される。
本形態は前記第１０形態を更に具体化した従属形態である。立体網目型払拭体を湾曲させて湾曲部を形成し、その両端部を揃えて縫着や融着などで結合させて結合部を作る。この結合部と略平行に袋部を形成する。上記結合部の一部を開口して開放部を作り、この開放部から把持部を挿入させて袋部に把持部を内挿させる。このように構成すると、立体網目型払拭体の湾曲部で被清掃面を清掃すれば、被清掃面から塵埃を開口面を通して捕集し、捕集された塵埃は立体網目の内部空間又は拡大立体網目の拡大内部空間に蓄積保持され、大量の塵埃を保存することができる。
【００４７】
本発明の第１３の形態によれば、前記把持部は二つの■合部が弾性的に開閉自在に構成され、前記立体網目型払拭体の左右の端部が前記噛合部により噛合されて前記把持部と一体化した立体網目型清掃具が提供される。
本形態は前記第１０形態を更に具体化した従属形態である。例えば、把持部が２枚の長手材の重ね合わせで構成され、２枚の長手材はばねで通常は閉じており、指でつまむと開く構造を有している。そして指を放すとばねで閉じる構造を有しているとする。他方、立体網目型払拭体を湾曲させて湾曲部を形成し、その両端部を揃えて前記長手材を開いた状態で前記両端部に■み込ませると、立体網目型払拭体を把持部で把持することができる。
以上のように構成すると、立体網目型払拭体の湾曲部で被清掃面を清掃すれば、被清掃面から塵埃を開口面を通して捕集し、捕集された塵埃は立体網目の内部空間又は拡大立体網目の拡大内部空間に蓄積保持され、大量の塵埃を保存することができる。
【図面の簡単な説明】
【００４８】
【図１】図１は、本発明に係る立体網目型払拭体３０を使用した立体網目型清掃具１の実施例１を説明する全体斜視図である。
【図２】図２は、本発明に係る立体網目型払拭体３０を使用した立体網目型清掃具１の実施例２を説明する全体斜視図である。
【図３】図３は、本発明に係る立体網目型払拭体３０を網目層−間隔層−網目層からなる１層式の立体布帛３１で構成した立体布帛構造３１ａの斜視図である。
【図４】図４は、本発明に係る立体網目型払拭体３０を網目層−間隔層−網目層−間隔層−網目層からなる２層式の立体布帛３１で構成した立体布帛構造３１ａの斜視図である。
【図５】図５は、本発明に係る立体網目型払拭体３０を網目層−厚目の間隔層−網目層からなる１層式の立体布帛３１で構成した立体布帛構造３１ａの斜視図である。
【図６】図６は、本発明に係る立体網目型払拭体３０において、四角・六角・円・楕円などの各種網目形状を示した立体布帛３１の部分平面図である。
【図７】図７は、本発明に係る立体網目型払拭体３０において、複数個の立体網目３２の組立構造を説明する構造斜視図である。
【図８】図８は、本発明に係る立体網目型払拭体３０において、複数個の立体網目３２による塵埃の捕集・蓄積・保持の機構を説明する機構斜視図である。
【図９】図９は、本発明に係る立体網目型払拭体３０において、出口側を開口面又は閉鎖面とした一個の立体網目３２の構造を説明する構造斜視図である。
【図１０】図１０は、本発明に係る立体網目型払拭体３０において、出口側を開口面とした２層式の拡大立体網目５０の構造を説明する構造斜視図である。
【図１１】図１１は、本発明に係る立体網目型払拭体３０において、出口側を閉鎖面とした２層式の拡大立体網目５０の構造を説明する構造斜視図である。
【図１２】図１２は、本発明に係る立体網目型清掃具１の実施例１及び実施例２を用いて、床面の清掃性能を試験する試験写真図である。
【図１３】図１３は、Ａ社製モップとＢ社製モップ１・２を用いて、被清掃面の清掃性能を比較試験する比較試験写真図である。
【図１４】図１４は、本発明に係る立体網目型清掃具１の実施例１を用いて被清掃面から塵埃を捕集した後、別の塵埃吸引装置により前記捕集された塵埃を吸引除去して立体網目型払拭体３０を清浄化する除去性能の試験写真図である。
【図１５】図１５は、本発明に係る立体網目型払拭体３０と他の３種の払拭体による被清掃面６０からの塵埃の除去性能の比較試験写真図である。
【図１６】図１６は、カット綿を塵埃として捕集する性能試験を行うために、本発明に係る立体網目型払拭体３０の立体網目３２を３Ｄプリンターで製作した模擬立体網目の写真図である。
【図１７】図１７は、側面に配列される連結糸４５の本数を変化させた多数の模擬立体網目を用いて、カット綿を塵埃として捕集した捕集質量（ｍｇ）と連結糸で隠されていない領域の側面開口率（％）の関係図である。
【図１８】図１８は、特開平１１−２６７０７９号公報（特許文献１）の説明図である。
【図１９】図１９は、特許第３５５７０４７号公報（特許文献２）の説明図である。
【図２０】図２０は、特開２０１１−２２９８７１号公報（特許文献３）の説明図である。
【図２１】図２１は、特許第３９９５６３１号公報（特許文献４）の説明図である。
【図２２】図２２は、特開２００６−２０６０８１号公報（特許文献５）の説明図である。
【発明を実施するための形態】
【００４９】
以下に、本発明に係る立体網目型払拭体３０及び立体網目型清掃具１の実施形態を添付する図面に従って詳細に説明する。
【００５０】
図１は、本発明に係る立体網目型払拭体３０を使用した立体網目型清掃具１の実施例１を説明する全体斜視図である。
大きく分けると、立体網目型清掃具１はハンドル部１０と、その先端に設けられた把持部２０と、この把持部２０により支持される立体網目型払拭体３０から構成されている。
【００５１】
ハンドル部１０は、手で把握されるグリップ１２と、長軸のハンドル本体１０ａから構成される。把持部２０は棒状体で、把持部中央部２１とその左右に突設された把持部突出部２３、２４と突板２２から構成されている。突板２２はハンドル受１３とボタン軸１４で連結され、ハンドル受１３はボタン軸１４を支点にして左右に回動自在に構成される。また、前記ハンドル本体１０ａの先端はハンドル受１３に挿入されてハンドル部１０と把持部２０が一体になる。従って、ハンドル部１０はボタン軸１４を支点に把持部２０に対し左右に回動することができる。左右の把持部突出部２３、２４はロック解除すると把持部中央部２１の両端で折れ曲がり自在になり、自由状態で重力により垂下して左右に揺動自在になる。また、左右の把持部突出部２３、２４を把持部中央部２１と平行に水平状態にするとロックされ、図１の如く水平状態に保持される。
【００５２】
立体網目型払拭体３０は、矩形状の立体布帛３１を中央で折り返して中央に湾曲部３８を形成し、その左右の端部３４ａ、３４ａは結合されて端部結合部３４となっている。結合には融着や縫着などの各種結合が利用される。また、端部結合部３４の中央には結合されていない開放部３３が設けられている。また、端部結合部３４から所定距離だけ離れた位置に分割部材３５が立体布帛３１の幅一杯に設けられて、端部結合部３４と分割部材３５の間に袋部３６が立体布帛３１の幅一杯に設けられている。更に、湾曲部３８の内部には、分割部材３５の下方に空間部３７が設けられている。
【００５３】
ハンドル部１０の前記把持部２０を前記袋部３６の中に挿着するために、次の手順が行われる。まず、ハンドル部１０を挿着する前に、左右の把持部突出部２３、２４をロック解除して下方に垂下させる。左右の把持部突出部２３、２４は揺動状態で垂下しており、この揺動垂下状態で左右の把持部突出部２３、２４うを同時に袋部３６の中に挿着する。勿論一本ずつ挿着してもよい。挿着されると、左右の把持部突出部２３、２４は水平状態にロックされる。こうして、把持部２０が立体網目型払拭体３０と一体化される。
【００５４】
前述したように、立体網目型払拭体３０は立体布帛３１で成形されている。この立体布帛３１の構造が図１に一点鎖線に囲繞されて図示されている。つまり、一点鎖線で囲繞された立体布帛構造３１aが全面に広がって形成されたものが立体布帛３１である。この立体布帛３１は、織物や編物のようなタオル状の布帛であるが、タオルと異なるのは厚みがかなりあり、厚み方向に弾縮性能を有する点である。業界では、立体織物や立体編物と称されるが、本願では両者を含む広義の概念として立体布帛３１と称する。立体布帛３１は無数の立体網目３２が略周期的に平面状に配列して構成され、立体網目３２の特性に基づいて弾縮性能を発現する。その詳細な構造は後述する。
【００５５】
この実施例１の立体網目型清掃具１を用いて二点鎖線で示す被清掃面６０を清掃するには、湾曲部３８の最下端部を被清掃面６０に接触させ、ハンドル部１０を両手で握って掃き掃除すればよい。前記立体網目３２の開口面の表面開口率、即ち、開口面の全面積と立体網目３２の表面の全面積との比率は９０％以上と極めて大きいから、塵埃６２の捕集効率が極めて大きい。従って、被清掃面６０の塵埃は、湾曲部３８にある多数の立体網目３２の表面の開口面４３から高効率に捕集される。
捕集された塵埃６２は立体網目３２の内部に確実に蓄積して保持される。後述するように、立体網目３２の側面には多数の連結糸４５が存在し、立体網目３２から側面側へ塵埃６２が放出されることはない。また、立体網目３２の奥が開口面４３になっているときには、仮に塵埃６２が排出されても、塵埃６２は立体網目型払拭体３０の内部の空間部３７に保持されるから、被清掃面６０に排出されることはない。更に、立体網目３２の奥が閉鎖されている場合には、立体網目３２から塵埃６２が逃散ことができず、塵埃６２の保持機能は最大効率に達する。
【００５６】
図２は、本発明に係る立体網目型払拭体３０を使用した立体網目型清掃具１の実施例２を説明する全体斜視図である。
この実施例２では、ハンドル部１０はハンドル本体１０ａとグリップ１２からなり、把持部２０は基板から構成されている。図示されていないが、把持部２０の上面には一対の突板が突設され、この一対の突板の間にハンドル本体１０aの先端が挿入され、ボタン軸１４により突板に連結されて、ハンドル部１０はボタン軸１４の回りに回動自在に設けられている。
【００５７】
立体網目型払拭体３０は立体布帛３１を矩形状に裁断して形成されており、立体網目型払拭体３０の中央部を把持部２０の清掃側面２５に面着させ、立体布帛３１の左右の端部３４ａ、３４ａを湾曲させて把持部２０の非清掃側面２６へと面着させて面ファスナーなどの手段で固定する。
前述したように、立体網目型払拭体３０は立体布帛３１で成形されおり、立体布帛３１の一部が立体布帛構造３１ａとして一点鎖線に囲繞されて図示されている。前述と同様、一点鎖線で囲繞された立体布帛構造３１ａが全面に広がって形成されたものが立体布帛３１である。この立体布帛３１は、厚さが大きくて厚さ方向に弾縮性能を有している。この立体布帛３１は無数の立体網目３２が略周期的に平面状に配列して構成され、立体網目３２の特性に基づいて弾縮性能を発現する。その詳細な構造は後述する。
【００５８】
この実施例２の立体網目型清掃具１を用いて二点鎖線で示す被清掃面６０を清掃するには、把持部２０の清掃側面２５にある立体網目型払拭体３０の中央を被清掃面６０に面接触させて、ハンドル部２０を押し引きするだけでよい。
前述したように、立体網目３２の開口面４３の表面開口率、即ち、開口面４３の全面積と立体網目３２の表面の全面積との比率は９０％以上と極めて大きいから、塵埃６２の捕集効率が極めて大きい。この理由は、立体網目３２では、網目を形成する網目糸以外の領域は全て開放されているから、網目糸の表面被覆率は１０％以下とかなり小さく、その結果表面開口率が９０％以上となるからである。従って、被清掃面６０の塵埃６２は、湾曲部３８にある多数の立体網目３２の表面の開口面４３から高効率に捕集される。
捕集された塵埃は立体網目３２の内部に確実に蓄積して保持される。後述するように、立体網目３２の側面には多数の連結糸４５が存在し、立体網目３２から側面側へ塵埃が放出されることはない。また、立体網目３２の奥は把持部２０の表面で閉鎖されているから、塵埃６２が立体網目３２から逃散されることはない。従って、塵埃６２を蓄積し保持する機能は最大効率に達する。
【００５９】
図３は、本発明に係る立体網目型払拭体３０を網目層−間隔層−網目層からなる１層式の立体布帛３１で構成した立体布帛構造３１ａの斜視図である。
立体網目型払拭体３０の立体布帛構造３１ａは、多数の網目４１を略周期的に平面状に配列した網目層４０が間隔層４２を介して２層積層されており、前記２層の網目層４０、４０は相互に同形の上側の網目４１ａと下側の網目４１ｂが上下に連通するように配置されている。上下に連通した上側の網目４１ａと下側の網目４１ｂを形成する２個の環状糸４４、４４が複数本の連結糸４５で相互に周回状に連結されて連結糸側面４６が形成されている。前記間隔層４２は前記連結糸側面４６を内部に含んで構成されている。
上下に連通した上側の網目４１ａと下側の網目４１ｂ及び連結糸側面４６により立体網目３２が形成され、この立体網目３２では内部空間４７を有し且つ上側の網目４１ａと下側の網目４１ｂに開口面４３、４３を有している。換言すれば、上側の環状糸４４と下側の環状糸４４を多数の連結糸４５で連結して連結糸側面４６を形成すると、上下の環状糸４４と連結糸側面４６から筒状体、つまり立体網目３２が形成され、この筒状体が平面状に略周期的に並設されると、上下の環状糸４４、４４を除いた厚み層が間隔層４２になるわけである。筒状体である立体網目３２の内部は全くの空間で内部空間４７になる。
【００６０】
前記立体網目型清掃具１で被清掃面６０を清掃すると前記網目４１の開口面４３から塵埃６２を効率的に捕集することができる。その理由は、立体網目３２の開口面４３の表面開口率、即ち、開口面４３の全面積と立体網目３２の表面の全面積との比率は９０％以上と極めて大きいから、塵埃６２の捕集効率が極めて大きい。この理由は、立体網目３２では、網目を形成する環状糸４４以外の領域は全て開放されており、環状糸４４の表面被覆率は１０％以下とかなり小さく、その結果表面開口率が９０％以上となるからである。
また、立体網目３２に捕集された塵埃６２は、前記立体網目３２の内部空間４７に蓄積され、内部空間４７から逃散することができない。その理由は、捕集された塵埃６２は連結糸側面４６から逃散しようとしても多数本の連結糸４５に阻止されて逃散することができず、内部空間４７に保持されることになる。
より詳細には、連結糸４５の本数により、側面開口率を０％〜１００％まで調整して試験すると、側面開口率が２０％〜８０％のときに、内部空間４７での塵埃６２の蓄積と保持が効率的になり、本願発明の立体網目型払拭体３０を最適化でき、有効な清掃具を提供できることが分かった。塵埃捕集率が最大になるのは、後述の実験では側面開口率が約５０％であったが、実際には条件により変動して４０％〜６０％であると考えられる。この塵埃捕集率の最大点の変動性を考慮すると、側面開口率が２０％〜８０％が有利であり、３０％〜７０％のときにはより効率的であると考えられる。
【００６１】
図４は、本発明に係る立体網目型払拭体３０を網目層−間隔層−網目層−間隔層−網目層からなる２層式の立体布帛３１で構成した立体布帛構造３１ａの斜視図である。
前記立体布帛構造３１ａでは、多数の網目４１を略周期的に平面状に配列した網目層４０を間隔層４２を介して３層以上積層することにより前記間隔層４２が２層以上積層状態で存在している。隣り合う２層の網目層４０、４０は相互に同形の上側の網目４１ａと下側の網目４１ｂが上下に連通するように配置されている。
上下に連通した上側の網目４１ａと下側の網目４１ｂを形成する２個の環状糸４４、４４が複数本の連結糸４５で相互に周回状に連結されて連結糸側面４６が形成される。前記間隔層４２は前記連結糸側面４６を内部に含んで構成されており、上下に連通した上側の網目４１ａと下側の網目４１ｂ及び連結糸側面４６により立体網目３２が形成されている。
前記立体網目３２では内部空間４７を有し、且つ上側の網目４１ａと下側の網目４１ｂに開口面４３を有している。
【００６２】
一つの間隔層４２では多数の前記立体網目３２が略周期的に配列して構成されており、前記間隔層４２が２層以上積層されることにより、前記立体網目３２が直上に２個以上積層されて拡大立体網目５０が形成される。前記拡大立体網目５０では、２個以上の前記内部空間４７が連通状に積層されて拡大内部空間５２が形成され、しかも最上面の網目５１ａと最下面の網目５１ｂに開口面４３を有し、多数の拡大立体網目５０が略周期的に配列して構成されている。
前記立体布帛３１を多層に積層した立体網目型清掃具１で清掃すると、前記拡大立体網目５０の開口面４３から塵埃６２を捕集して前記拡大立体網目５０の拡大内部空間５２に塵埃６２を捕集し、蓄積して保持することができる。
【００６３】
この多層式の立体網目型清掃具１で被清掃面６０を清掃しても、最上面の網目５１ａ又は最下面の網目５１ｂの開口面４３から塵埃６２を効率的に捕集することができる。その理由は、一層式の立体網目型清掃具１と同様で、立体網目３２の開口面４３の表面開口率、即ち、開口面４３の全面積と立体網目３２の表面の全面積との比率は９０％以上と極めて大きいから、塵埃６２の捕集効率が極めて大きいからである。
また、拡大立体網目５０に捕集された塵埃６２は、前記拡大立体網目５０の拡大内部空間５２に大量に蓄積され、拡大内部空間５２から逃散することができない。その理由は、捕集された塵埃６２は連結糸側面４６の多数本の連結糸４５に阻止されて逃散することができず、拡大内部空間５２に保持されることになる。
この多層式の立体網目型清掃具１においても、側面開口率が２０％〜８０％のときに、内部空間４７での塵埃６２の蓄積と保持が効率的になり、３０％〜７０％のときにより効率的であると考えられる。
【００６４】
図５は、本発明に係る立体網目型払拭体３０を網目層−厚目の間隔層−網目層からなる１層式の立体布帛３１で構成した立体布帛構造３１ａの斜視図である。
この立体網目型払拭体３０は図３と比較して連結糸４５の長さが長いだけで、その他の特徴は全く同様である。つまり、間隔層４２の厚さが厚いだけであり、図３の立体網目型払拭体３０の構成と作用と効果はほぼ同様であると云える。
間隔層４２を厚くするには、図４の如く多層式にしてもよいし、図５の如く連結糸４５の長さを長くしてもよい。いずれの方式でも、作用効果は同様であり、茲ではそれ以上の説明を省略する。
【００６５】
図６は、本発明に係る立体網目型払拭体３０において、四角・六角・円・楕円などの各種網目形状を示した立体布帛３１の部分平面図である。
（６Ａ）では、六角形状の多数の網目４１からなる立体布帛３１が示されている。（６Ｂ）では、四角形状の多数の網目４１からなる立体布帛３１が示されている。（６Ｃ）では、小楕円と大楕円という２種の形状からなる多数の網目４１から構成された立体布帛３１が示されている。このように、立体布帛３１としては、単一形状だけでなく、複数形状の網目４１を略周期的に平面状に配列して、多種多様な立体布帛３１を形成でき、これらの立体布帛３１を本願発明に使用することができる。
【００６６】
図７は、本発明に係る立体網目型払拭体３０において、複数個の立体網目３２の組立構造を説明する構造斜視図である。
立体網目払拭体３０は、立体布帛構造３１ａを有する立体布帛３１から形成されている。この立体布帛構造３１ａは、上側の網目層４０と下側の網目層４０を積層させ、上下の網目層４０、４０を多数の連結糸４５で連結して立体的に構成されている。
詳細に述べると、上下の網目層４０、４０は同じ構造を有しており、織成や編成などにより縦方向と横方向の繊維から平面上に形成されており、多数の網目４１が略周期的に平面配置されて構成されている。最小単位は網目４１で環状糸４４でリング状に区画され、上側の網目４１ａと下側の網目４１ｂとも同形の環状糸４４、４４で構成される。
【００６７】
上側の環状糸４４と下側の環状糸４４との間は全側面に多数の連結糸４５により略等間隔で連結されており、上下の環状糸４４、４４の間隔が間隔層４２の厚さになる。これらの多数の連結糸４５の存在により、上下の網目層４０、４０は弾縮性を有し、圧縮してもすぐに元の厚さに復帰する機能を有する。
上下の網目４１ａ、４１ｂには邪魔のない開口面４３、４３が開口されている。上下の環状糸４４、４４と連結糸側面４６は筒状体に形成されており、しかもその内部には空洞の内部空間４７が存在する。この筒状体を立体網目３２と称し、立体布帛構造３１ａとは立体網目３２が略周期的に平面状に配列された構造である。
【００６８】
立体網目３２は上下の網目４１ａ、４１ｂに夫々開口面４３が開口されている。この開口面４３の面積は網目４１の面積に対し環状糸４４の太さ面積だけ小さいから、開口面４３の面積の網目４１の面積に対する比率、即ち開口率（表面開口率とも呼ぶ）は９０％以上であることが明らかである。従って、清掃に際し、塵埃６２は広い開口面４３から内部空間４７に容易に捕集される。
また、立体網目３２の側面は連結糸４５で部分的に閉鎖された連結糸側面４６となっている。捕集により内部空間４７に蓄積された塵埃６２は、連結糸側面４６から逃散しようとしても連結糸４５に邪魔されて外部への放出が阻止される。側面の全面積から連結糸４５の太さ面積を除いた面積が側面開口面積であり、本願明細書では、この側面開口面積の側面面積に対する比率を側面開口率と呼ぶ。内部空間４７に蓄積保持される塵埃６２の捕集質量の側面開口率に対する分布を塵埃捕集性能と呼ぶ。本願発明者の研究により、側面開口率が２０％〜８０％であれば塵埃捕集性能は実用に供することができ、また側面開口率が３０％〜７０％の範囲では塵埃捕集性能をより向上できることが明らかにされた。
【００６９】
図８は、本発明に係る立体網目型払拭体３０において、複数個の立体網目３２による塵埃６２の捕集・蓄積・保持の機構を説明する機構斜視図である。
本願の立体網目型清掃具１を用いて被清掃面６０の塵埃６２を清掃する。立体網目型払拭体３０を被清掃面６０に当接させて矢印Ｘ−Ｘ方向及び矢印Ｙ−Ｙ方向に押し引きすると、被清掃面６０の塵埃６２は、下側の網目４１が被清掃面６０から浮いた状態のタイミングで、矢印Ａ方向に下側の網目４１ｂの開口面４３から内部空間４７へと捕集される。内部空間４７に入ると、塵埃６２は連結糸側面４６を形成する多数の連結糸４５に絡み、また上下の環状糸４４、４４とも絡み合う。この絡みによって、塵埃６２は内部空間４７から外部へ逃散することができず、内部空間４７に蓄積し保持されることになる。
【００７０】
図９は、本発明に係る立体網目型払拭体３０において、出口側を開口面４３又は閉鎖面４９とした一個の立体網目３２の構造を説明する構造斜視図である。
（９Ａ）は、出口側、即ち上側の網目４１ａを開口面４３とした一個の立体網目３２の概略斜視図である。勿論、下側の網目４１ｂは矢印Ａ方向から塵埃６２を導入するために塵埃捕集用の開口面４３になっていることは当然である。立体網目３２は上下の環状糸４４、４４と連結糸側面４６からなっているが、連結糸側面４６の一部である手前側は見やすく透視できるように連結糸４５を省略している。
（９Ｂ）は、出口側、即ち上側の網目４１ａを閉鎖糸４８により閉鎖面４９とした一個の立体網目３２の概略斜視図である。出口側が閉鎖面４９であることが（９Ａ）との相違点であり、他の事項は（９Ａ）と全く同一である。勿論、下側の網目４１ｂは矢印Ａ方向から塵埃６２を導入するために塵埃捕集用の開口面４３になっていることは当然である。立体網目３２は上下の環状糸４４、４４と連結糸側面４６からなっているが、連結糸側面４６の一部である手前側は見やすく透視できるように連結糸４５を省略している。
【００７１】
図１０は、本発明に係る立体網目型払拭体３０において、出口側を開口面４３とした２層式の拡大立体網目５０の構造を説明する構造斜視図である。
上側の立体網目３２は上下の環状糸４４、４４を連結糸側面４６で囲繞して内部に内部空間４７を有するように形成され、同様に下側の立体網目３２も上下の環状糸４４、４４を連結糸側面４６で囲繞して内部に内部空間４７を有するように形成されている。
これら二つの立体網目３２、３２が２層積層されて拡大立体網目５０が構成され、その内側には二つの内部空間４７、４７が積層された拡大内部空間５２が構成されている。上側の連結糸側面４６と下側の連結糸側面４６は共に上下に連結された多数の連結糸４５が周回状に配置されて構成され、これら二つの連結糸側面４６、４６により拡大立体網目５０の側面が構成される。
最下面の網目５１ｂは矢印Ａ方向から塵埃６２を導入するために塵埃捕集用の開口面４３になっていることは当然である。この図では、最上面の網目５１ａも開口面４３になっており、捕集した塵埃６２は拡大内部空間５２に蓄積保持され、最上面の開口面４３から逃散する塵埃６２は比較的少ないことが分かっている。その理由は、拡大内部空間５２に入った塵埃６２は連結糸側面４６の多数の連結糸４５と絡み合い、拡大内部空間５２の中に強力に保持される作用があるからである。
【００７２】
図１１は、本発明に係る立体網目型払拭体３０において、出口側を閉鎖面４９とした２層式の拡大立体網目５０の構造を説明する構造斜視図である。
図１０は出口側が開口面４３であるのに対し、本図１１では出口側が閉鎖糸４８により閉鎖面４９になっている。出口側が開口面４３である図１０の構造でも、塵埃６２は出口側の開口面４３から逃散し難いのであるが、図１１のように出口側を閉鎖面４９とすることにより、出口側からの塵埃６２の逃散を完全に遮断することができる。
他の事項については、図１０と図１１は同一であり、既に図１０で記載した事項については、それを引用してここに反復記載することは省略する。
【００７３】
図１２は、本発明に係る立体網目型清掃具１の実施例１及び実施例２を用いて、床面の清掃性能を試験する試験写真図である。
実施例１とは図１に示された立体網目型清掃具１であり、実施例２とは図２に示された立体網目型清掃具１のことである。この試験では、塵埃捕集用の吸着剤を担持させていない実施例１のモップ、塵埃捕集用の吸着剤を担持させた実施例１及び実施例２のモップについて、除塵性能を比較した。塵埃として０．１ｍｍの長さに切断されたカット綿５ｇを５００μｍメッシュ篩を用いて約０．３２ｍ２（Ｗ７００ｍｍ×Ｄ４５０ｍｍ）の面積範囲の床面に散布した。これらの塵埃を上記３種類のモップにより、一回の前進拭き（ひと押し）した後の拭き筋残りを上段の写真で観察し、この観察の後、散布面全体を念入りに払拭して完全埃除去可能性について下段の写真で観察した。
写真の結果から判断すると、３種類のモップ共にひと押しの拭き筋残りは全く見られず、３種類のモップ共に塵埃をほぼ完全に押し引きできることが分かった。念入り払拭では、吸着剤無しの実施例１では塵埃が少量ながら残留し、吸着剤有りの実施例１及び吸着剤有りの実施例２では塵埃を完全に捕集できることが分かった。換言すれば、実施例１では吸着剤が無いことにより念入り払拭でも塵埃が少量ながら残留するが、吸着剤を担持させれば念入り払拭により塵埃を完全に捕集できる好結果を得たのである。以上の結果から、本願の立体網目型払拭体３０に吸着剤を担持させた立体網目型清掃具１では、塵埃の押し引き清掃は良好であり、且つ念入り払拭により床面から塵埃をほぼ完全に捕集して塵埃をモップ内に保持できることが実証された。
【００７４】
図１３は、Ａ社製モップとＢ社製モップ１・２を用いて、被清掃面の清掃性能を比較試験する比較試験写真図である。
図１３の試験では、図１２の試験と全く同じ試験が行われた。試験対象物は、本件出願人とは異なる他社が市場展開しているＡ社製モップ及びＢ社製モップ１・２の３種類の従来モップであり、全てに他社製の吸着剤を担持したモップである。図１２と全く同様に、塵埃として０．１ｍｍの長さに切断されたカット綿５ｇを５００μｍメッシュ篩を用いて約０．３２ｍ２（Ｗ７００ｍｍ×Ｄ４５０ｍｍ）の面積範囲の床面に散布した。
写真の結果から判断すると、３種類の従来モップ共にひと押しの拭き筋残りは見られなかったから、３種類の従来モップ共に塵埃をほぼ完全に押し引きできることが分かった。しかし、念入り払拭で大きな違いが見られた。Ａ社製モップでは塵埃が少量ながら残留し、Ｂ社製モップ２では塵埃が多少とも残り、Ｂ社製モップ１では塵埃が大量に残留することが分かった。
これらの事実から、従来型のモップでは、たとえ吸着剤を担持させて床面を念入り払拭した場合でも、塵埃が多くなると床面に多少とも塵埃が残留することが分かる。
それに対し、本願の立体網目型払拭体３０によれば、吸着剤を担持させるとほぼ完全に塵埃を床面から捕集でき、本願の立体網目型払拭体３０及び立体網目型清掃具１が画期的な作用効果を発現できることが分かったのである。
【００７５】
図１４は、本発明に係る立体網目型清掃具１の実施例１を用いて被清掃面６０から塵埃を捕集した後、別の塵埃吸引装置により前記捕集された塵埃を吸引除去して立体網目型払拭体３０を清浄化する除去性能の試験写真図である。
左上側の写真は、吸着剤有りの実施例１のモップを使って、床面から黒埃を立体網目型払拭体３０に捕集した写真であり、立体網目型払拭体３０の表面に黒埃が付着して黒ずんでいるのが確認される。払拭体の前に対面して存在する装置が立体網目型払拭体３０から塵埃を吸引除去する塵埃吸引装置である。左下側の写真が、黒ずんでいた立体網目型払拭体３０から黒埃を塵埃吸引装置で吸引除去した後の立体網目型払拭体３０の写真であり、黒埃がほぼ完全に除去されているのが分かる。
右上側の写真は、吸着剤有りの実施例１のモップを使って、床面から白埃（０．１ｍｍに切断されたカット綿）を立体網目型払拭体３０に捕集した写真であり、立体網目型払拭体３０の表面に白埃が付着して白くなっているのが確認される。右下側の写真が、白くなった立体網目型払拭体３０から白埃を同じ塵埃吸引装置で吸引除去した後の立体網目型払拭体３０の写真であり、白埃がほぼ完全に除去されているのが分かる。
以上から、立体網目型払拭体３０に捕集された黒埃や白埃は塵埃吸引装置によりほぼ完全に除去でき、元の状態に清浄化できることが分かった。その理由は、塵埃が蓄積保持されている内部空間４７や拡大内部空間５２は空気が非常に流通しやすいため、塵埃が容易に吸引除去できるということである。
【００７６】
図１５は、本発明に係る立体網目型払拭体３０（吸着剤有り）と他の３種の払拭体（吸着剤有り）による被清掃面６０からの塵埃の除去性能の比較試験写真図である。
本願発明は立体網目と表示したもので、立体布帛（ＰＡ／ＰＥＴ製）を多重に巻回したものである。他の３種の払拭体の第１はベッド（寝具）のクッション材としてよく使われている立体ラーメン構造材（オレフィン系エラストマー製）であり、第２はネット（ＰＥＴ製）を多重に巻回したものであり、第３はスポンジ（ポリウレタン製）である。これら４種の払拭体に同一の吸着剤を担持させている。
中段の試験写真は、床面に散布された塵埃をひと押しした後、床面上の拭き筋残りの写真である。４種のうち、立体ラーメン構造材のみ多少拭き筋残りが見られるものの、他の３種は拭き筋残りが観察されず、同程度の押し引き性能があることを示している。ここで、塵埃として、０．１ｍｍの長さに切断されたカット綿３ｇを５００μｍメッシュ篩を用いて約０．３２ｍ２（Ｗ７００ｍｍ×Ｄ４５０ｍｍ）の面積範囲の床面に散布したものが使用されている。
下段の試験写真は、上記ひと押しした後、散布面全体を念入りに払拭して塵埃が完全に除去できるかどうかの写真である。本願の立体網目３２だけが塵埃の完全除去性を示している。立体ラーメン構造では少し残留しているが、ネットやスポンジではかなりの残留が見られる。評価は、良（〇）、可（△）、不可（×）で示されている。
以上から、本願の立体網目型払拭体３０だけが、ひと押しによる拭き筋残りが無く、綿粉３ｇ保持性においても完全性を示していることが分かるであろう。
【００７７】
［１１個のサンプルによる側面開口率と捕集質量の関係］
図１６は、カット綿を塵埃として捕集する性能試験を行うために、本発明に係る立体網目型払拭体３０の立体網目３２を３Ｄプリンターで製作した模擬立体網目の写真図である。本願発明者は、立体網目３２の模擬品としてサイズが１０ｍｍ×５ｍｍ×５ｍｍで内部が空洞の直方体を３Ｄプリンターで製作した。上下の開口面４３を１０ｍｍ×５ｍｍにして完全に開放し、縦線で表示した側面に縦線で示す連結糸４５を３Ｄプリンターで製作した。
実際に制作された２個の立体網目３２の写真２枚が図示されている。側面は１０ｍｍ×５ｍｍと５ｍｍ×５ｍｍの２面が存在し、連結糸４５に相当する柱を側面に複数本だけ立設している。柱の太さは０．５ｍｍである。１０ｍｍ×５ｍｍの側面では、全面積は５０ｍｍ２であり、柱の本数をｈ本とすれば、当該側面の開口面積は５０−（５ｍｍ×０．５ｍｍ×ｈ）＝５０−２．５ｈ（ｍｍ２）となる。従って、当該側面の開口率は、（５０−２．５ｈ）／５０×１００（％）＝１００−５ｈ（％）で与えられる。ｈ＝０、２、４、６、８、１０、１２、１４、１６、１８、２０の１１例が製作された。
また、同時に、５ｍｍ×５ｍｍの側面では、全面積は２５ｍｍ２であり、柱の本数をｋ本とすれば、当該側面の開口面積は２５−（５ｍｍ×０．５ｍｍ×ｋ）＝２５−２．５ｋ（ｍｍ２）となる。従って、当該側面の開口率は、（２５−２．５ｋ）／２５×１００（％）＝１００−１０ｋ（％）で与えられる。ｋ＝０、１、２、３、４、５、６、７、８、９、１０の１１例が製作された。
【００７８】
【表１】
2018068764.tif 000003
【００７９】
表１では、立体網目サンプルとして、サンプルＮｏ＝１〜１１の１１個が製作された。上述したｈ＝０、２〜２０は１０ｍｍ×５ｍｍ側面で、１０ｍｍ連結糸数及び１０ｍｍ開口率（％）に対応している。同様に、上述したｋ＝０、１〜１０は５ｍｍ×５ｍｍ側面で、５ｍｍ連結糸数及び５ｍｍ開口率（％）に対応している。従って、１１種類の１０ｍｍ開口率と５ｍｍ開口率は同じ値になり、平均開口率（％）は１００，９０、８０、７０、６０、５０、４０、３０、２０、１０、０の１１種類になる。
【００８０】
【表２】
2018068764.tif 000004
【００８１】
表２では、サンプルＮｏ＝１〜１１の１１個の立体網目サンプルを用いて、０．１ｍｍのカット綿の捕集試験が行われた。０．１ｍｍの長さに切断されたカット綿をシャーレに満杯状態に満たし、立体網目サンプルの開口面４３からカット綿をすくって捕集し、開口面の上下方向を鉛直方向に向けて一回だけ軽く上下に振動させ、立体サンプルの内部空間４７に残留したカット綿の捕集質量（ｍｇ）を測定した。吸着剤無しの立体サンプルと吸着剤有りの立体サンプルの夫々で捕集質量を測定した。吸着剤有りと無しの両方の捕集質量と平均開口率との関係が図１７に図示されている。
一般的には、吸着剤有りの方が吸着剤無しよりも、吸着剤の吸着性能によりカット綿は吸着保持されやすいと考えられる。また、連結糸４５の本数が多い方がカット綿との絡み効果により捕集質量が多いと考えられる。しかし、連結糸４５の本数が多くなると、連結糸４５と連結糸４５の間の間隔が狭くなり、カット綿との絡み効果は低下し捕集質量は低減すると考えられる。これらの総合効果は実験で決定される必要がある。
【００８２】
図１７は、側面に配列される連結糸４５の本数を変化させた多数の立体網目サンプルを用いて、カット綿を塵埃として捕集した捕集質量（ｍｇ）と連結糸４５で隠されていない領域の側面開口率（％）の関係図である。
黒四角で示される曲線は吸着剤有りの立体網目サンプルのグラフで、黒丸で示される曲線は吸着剤無しの立体網目サンプルのグラフである。どちらのグラフも５０％をピークとし、吸着剤有りのグラフが吸着剤無しのグラフよりも上方に高くなっている。また、吸着剤有りのグラフの方が吸着剤無しのグラフよりも裾野が広がっている。これらの結果から判断すると、立体網目３２に吸着剤を担持した方が塵埃捕集効果は優れていることと云える。
更に、捕集質量が１０ｍｇ以上を有効と判断すると、サンプルの側面開口率は２０％〜８０％が好ましいことが分かる。更に好ましくは、捕集質量が１５ｍｇ以上であり、サンプルの側面開口率は３０％〜７０％が良好であると云える。この場合の側面開口率の判断は、吸着剤が有っても無くても両方に対し良好である事を保証する。
【００８３】
本発明に係る立体網目型払拭体及び立体網目型清掃具は、上記実施形態や実施例に限定されるものではなく、本発明の技術的思想から逸脱しない範囲において種々の変形例や変形手段を包含することは云うまでもない。
【産業上の利用可能性】
【００８４】
本発明に係る立体網目型払拭体及び立体網目型清掃具は、立体織物や立体編物などの立体布帛を従来全く予想もされていなかった清掃具の払拭体に利用し、払拭体に多数形成された穴による表面開口率を９０％以上に調整し、しかも穴の深さを深浅自在に調整して、被清掃面の塵埃を大量に捕集できると同時に、大量の塵埃を穴の中に蓄積保持でき、しかも保持した塵埃を塵埃吸引装置により吸引して清浄化できる作用効果を有する。更に、安価且つ大量に生産できるから、企業、病院、学校などの事業所や家庭における清掃用途において広範囲に使用することができる。
【符号の説明】
【００８５】
１            立体網目型清掃具
１０          ハンドル部
１０ａ        ハンドル本体
１２          グリップ
１３          ハンドル受
１４          ボタン軸
２０          把持部
２１          把持部中央部
２２          突板
２３          把持部突出部
２４          把持部突出部
２５          清掃側面
２６          非清掃側面
３０          立体網目型払拭体
３０ａ        払拭体中央部
３１          立体布帛
３１ａ        立体布帛構造
３２          立体網目
３３          開放部
３４          端部結合部
３４ａ        端部
３５          分割部材
３６          袋部
３７          空間部
３８          湾曲面
４０          網目層
４１          網目
４１ａ        上側の網目
４１ｂ        下側の網目
４２          間隔層
４３          開口面
４４          環状糸
４５          連結糸
４６          連結糸側面
４７          内部空間
４８          閉鎖糸
４９          閉鎖面
５０          拡大立体網目
５１ａ        最上面の網目
５１ｂ        最下面の網目
５２          拡大内部空間
６０          被清掃面
６２          塵埃
【図１】
2018068764.tif 000005
【図２】
2018068764.tif 000006
【図３】
2018068764.tif 000007
【図４】
2018068764.tif 000008
【図５】
2018068764.tif 000009
【図６】
2018068764.tif 000010
【図７】
2018068764.tif 000011
【図８】
2018068764.tif 000012
【図９】
2018068764.tif 000013
【図１０】
2018068764.tif 000014
【図１１】
2018068764.tif 000015
【図１２】
2018068764.tif 000016
【図１３】
2018068764.tif 000017
【図１４】
2018068764.tif 000018
【図１５】
2018068764.tif 000019
【図１６】
2018068764.tif 000020
【図１７】
2018068764.tif 000021
【図１８】
2018068764.tif 000022
【図１９】
2018068764.tif 000023
【図２０】
2018068764.tif 000024
【図２１】
2018068764.tif 000025
【図２２】
2018068764.tif 000026